(57)【要約】【課題】自分用のＴＶチャンネルデータをカード等に記憶しておき他のＴＶを使用した場合にそのカードを使用することで自分用のチャンネルデータでどのＴＶをも抵抗感無く使用すること。【解決手段】自宅ＴＶ１のチャンネル番号とチャンネル名と系列局情報を対応付けしたチャンネルデータを記録した記録媒体３と、記録媒体に記録されたチャンネルデータと異なる環境データに対応しているＴＶ受信装置２と、を備えたチャンネル記憶受信システムであって、記録媒体３をＴＶ受信装置２に装着し、ＴＶ受信装置２における環境データの内の系列局情報とチャンネルデータの系列局情報とを対比し、これらの系列局情報が同一のときに、ＴＶ受信装置２のチャンネル番号を自宅ＴＶ１のチャンネルデータのチャンネル番号に置き換えること。【選択図】図１
2006060576.tif 000002
【特許請求の範囲】
【請求項１】
チャンネル番号とチャンネル名と系列局情報を対応付けしたチャンネルデータを記録した記録媒体と、前記記録媒体に記録されたチャンネルデータと異なる環境データに対応しているＴＶ受信装置と、を備えたチャンネル記憶受信システムであって、
前記記録媒体を前記ＴＶ受信装置に装着し、
前記ＴＶ受信装置における環境データの内の系列局情報と前記チャンネルデータの系列局情報とを対比し、
これらの系列局情報が同一のときに、前記ＴＶ受信装置のチャンネル番号を前記チャンネルデータのチャンネル番号に置き換える
ことを特徴とするチャンネル記憶受信システム。
【請求項２】
請求項１において、
前記チャンネルデータと前記ＴＶ受信装置の環境データとが異なるときに、選局時の表示情報として、前記ＴＶ受信装置のチャンネル名を一例とする環境データに対して前記チャンネルデータにおける該当するデータを付記する
ことを特徴とするチャンネル記憶受信システム。
【請求項３】
請求項１において、
前記ＴＶ受信装置の環境データの内の番組表データを表示するときに、前記チャンネルデータの対応する番組表データと異なる場合、異なることを表す記号又は符号を当該番組表データに付加する
ことを特徴とするチャンネル記憶受信システム。
【発明の詳細な説明】
【技術分野】
【０００１】
本発明は、放送電波の受信装置に係り、特に、受信の地域を含めた環境が異なる場合にも受信装置におけるチャンネルデータを記憶しておくことで同様の受信環境を提供するチャンネル記憶受信システムに関する。
【背景技術】
【０００２】
放送電波における受信地域が異なった場合にチャンネル切替の従来技術として、受信装置（ラジオ、ＴＶなど）自体が移動して、それぞれの地域に応じたチャンネルを受信することで、その地域に応じた放送受信を可能とする技術が提案されている。これによれば、その受信装置自体の現在位置を知ることによって、その地域情報設定を自動的に行うことができる。
【０００３】
また、受信周波数の異なる地域に移動したり、放送データの再編があっても放送電波のプリセットを確実に行える従来技術として、特許文献１によれば、オーディオビジュアル機器に設けられたメモリカードから地域別の放送データをモニタに表示させて地域選択することで当該地域の放送電波のプリセットを行うことが開示されている。また、特許文献２によると、地域毎のチャンネル切替を自動的に行うことのできるＴＶ受信機を搭載する携帯端末装置が開示されており、現在位置の情報を取得し、その取得した位置情報に対応するテレビチャンネル番号を選択することによって、地域毎のチャンネル切替を自動的に実施できる。
【特許文献１】特開２００３−８４５６号公報
【特許文献２】特開２００３−３０９７７４号公報
【発明の開示】
【発明が解決しようとする課題】
【０００４】
しかしながら、上述した特許文献１，２に示すような従来技術は、受信装置が移動してその受信装置の地域環境に応じた受信を行うことを可能とするものであるが、受信装置の使用者にとっては、長年慣れ親しんだ当該地域に応じた番組名やチャンネル番号などが存在するため、使用者が他地域に移動して他地域の受信装置の放送電波を視聴する場合に、他地域の番組名やチャンネル番号などの選局に際して、適宜に即応して対応することが容易ではなかった。
【０００５】
すなわち、東京でのＭＨＫ関東がワンタッチリモコンのチャンネル番号１であったのが、大阪に移動すると当地での受信装置はＭＨＫ関東に対応するＭＨＫ関西がワンタッチリモコンのチャンネル番号２となっており、大阪に移動した場合におけるワンタッチリモコンのチャンネル選択に抵抗感があった。
【０００６】
本発明の目的は、自分用のＴＶチャンネルデータをカード等に記憶しておき、他のＴＶを使用した場合にそのカードを使用することで、自分用のチャンネルデータでどのＴＶをも抵抗感無く使用することができるチャンネル記憶システムを提供することにある。
【課題を解決するための手段】
【０００７】
前記課題を解決するために、本発明は主として次のような構成を採用する。  
チャンネル番号とチャンネル名と系列局情報を対応付けしたチャンネルデータを記録した記録媒体と、前記記録媒体に記録されたチャンネルデータと異なる環境データに対応しているＴＶ受信装置と、を備えたチャンネル記憶受信システムであって、前記記録媒体を前記ＴＶ受信装置に装着し、前記ＴＶ受信装置における環境データの内の系列局情報と前記チャンネルデータの系列局情報とを対比し、これらの系列局情報が同一のときに、前記ＴＶ受信装置のチャンネル番号を前記チャンネルデータのチャンネル番号に置き換える構成とする。
【発明の効果】
【０００８】
本発明によれば、ユーザの慣れ親しんだチャンネルデータを記録媒体に記録しておき、このチャンネルデータを利用することによって、受信装置の相違や動作環境の相違を感じることなく、チャンネル操作を従来環境と同様に行えることができる。
【０００９】
また、個別のテレビ局名や番組名などの動作環境に相違のある場合には、その旨をディスプレイ表示して使用者に分かり易く提示することができる。
【発明を実施するための最良の形態】
【００１０】
本発明の実施形態に係るチャンネル記憶受信システムについて、図１、図２及び図３を参照しながら以下詳細に説明する。図１は本発明の実施形態に係るチャンネル記憶受信システムにおける、受信環境の異なった場合でのチャンネル番号の環境整備を行う概要を示す図である。図２は本実施形態に係るチャンネル記憶受信システムにおけるチャンネルデータの設定手法を示す説明図である。図３は本実施形態に関するチャンネルデータにおいて、元の環境と現在の環境とで異なる場合の表示方法を示す説明図である。図４は本実施形態に関する受信環境の異なる地域におけるＴＶのチャンネル番号割り当てについての処理フローを示す図である。
【００１１】
図１において、関東地域におけるＴＶの受信環境は、チャンネル番号１がＭＨＫ関東でＡ局系列であり、チャンネル番号３が東京テレビでＢ局系列であり、チャンネル番号７がＴＶ関東でＣ局系列であるとすると、自宅ＴＶ１のワンタッチリモコンのチャンネル番号は、関東の受信環境に通常合致させており、リモコンのチャンネル番号１をＭＨＫ関東に設定し、チャンネル番号３を東京テレビに設定し、チャンネル番号７をＴＶ関東に設定している。
【００１２】
ＴＶ受信装置にはＳＤカードなどの持ち運び自在の記録媒体を装着、脱着可能とし、この記録媒体にチャンネルデータ、すなわち、チャンネル番号、チャンネル名前（テレビ局名）、系列局情報（例えば、Ａ局系列など）、番組表データ（図２を参照）を記録しておく。
【００１３】
ここで、関東在住の視聴者が関西に出張して出張先のＴＶを視聴する場合に、関西地域におけるＴＶの受信環境は、チャンネル番号２がＭＨＫ関西でＡ局系列であり、チャンネル番号６がテレビ関西でＣ局系列であり、チャンネル番号８が大阪テレビでＢ局系列であるとすると、関西出張の視聴者は視聴したいテレビ局の番組とチャンネル番号との対応付けにおいて違和感があって、素早く希望する番組をリモコンで選択することができない。
【００１４】
そこで、本発明の実施形態では、関東の自宅ＴＶ１でのチャンネルデータを記録した記録媒体３を関西出張の際に持ち運び、この記録媒体を出張先のＴＶ受信装置２に装着して、当該チャンネルデータを読み込ませることによって、出張先ＴＶ２を自宅ＴＶ１と同様なチャンネル番号の選択で同一の局系列のＴＶを視聴することができることとなる。すなわち、図１の例示で云えば、出張先ＴＶ２に記録媒体のチャンネルデータを読み込ませ、関西の受信環境データとの対比によって、Ａ局系列のＭＨＫ関西をチャンネル番号１に割り当て、Ｂ局系列の大阪テレビをチャンネル番号３に割り当て、Ｃ局系列のＴＶ関西をチャンネル番号７に割り当てて、関東での受信環境と同様にすることができる。そうすると、視聴者はリモコンのチャンネル操作に違和感なく対応することができる。
【００１５】
図２において具体的なチャンネルデータの設定について説明すると、図２の（１）は、図１に示す例示を援用すると、関東での受信環境における自宅ＴＶ１のユーザのチャンネルデータを示している。持ち運びできるカードなどの記録媒体３には、チャンネルデータの内でチャンネル番号とチャンネル名前（テレビ局名）とは必須の記録要件であり、系列局情報についてはカードに記録しても良いし、ＴＶ受信装置内に系列局情報とチャンネル名前との対応テーブルを持たせてもよく、さらに、チャンネル名前の放送電波に系列局情報を持たせても良い。また、番組表データは予め予定された１週間分の番組データであり、例えば、ＡＭ７時からはニュース、ＡＭ８時からは連続ホームドラマ等を表わし、記録媒体に記録することができ得る。
【００１６】
図２の（２）は、関西の受信環境における出張先ＴＶ２のデータ（現在環境データ）である。ここで、記録媒体３に記録されたユーザチャンネルデータと現在環境データ（関西での受信環境データ）とを比較する。比較の対象は、ユーザチャンネルデータに含まれるチャンネルの系列局と、現在環境データに含まれる系列局であり、これらの系列局が同じであればチャンネル番号はユーザチャンネルデータのチャンネル番号を採用する。図２の（１）と（２）の例示で云えば、Ａ局系列ではチャンネル番号として１を採用する（現在環境データではチャンネル番号が２であるところであるが）。同様に、Ｂ局系列（関東では東京テレビ、関西では大阪テレビ）についてみると、出張先ＴＶのチャンネル番号をユーザチャンネルデータの番号３を採用し、Ｃ局系列ではチャンネル番号として７を採用する。
【００１７】
上述したような受信環境の異なる地域におけるＴＶのチャンネル番号の割り当てについて、その具体的な処理フローを図４に基づいて説明する。処理開始後、チャンネル情報をクリアする（ステップ０２）ことで、ユーザのチャンネル情報を反映できるようにする。そして、受信可能チャンネルに関して処理を行う（ステップ０３）。ここで受信可能チャンネルとは、図２での（２）の現在環境データにあたり、それぞれの視聴可能チャンネルに関して処理を行う。
【００１８】
まず、ユーザチャンネルデータの中に、同じチャンネルデータが存在するかどうかを比較する（ステップ０４）。この例では、同じチャンネルデータとは、チャンネル名前および系列局情報が同じ場合を示す。同じチャンネルデータが存在する場合には、そのチャンネルの番号をユーザチャンネルデータの番号とする（ステップ０７）。同じチャンネルデータが存在しない場合には、ステップ０５に移動する。
【００１９】
ステップ０５では、その視聴可能チャンネルに系列局情報が存在する場合には、ユーザチャンネルデータに同じ系列局のデータが存在するかを判断し（ステップ０６）、存在する場合には、ユーザチャンネルデータの番号とする。ここで、同じ系列局のデータとは系列局情報が一致することを指す。
【００２０】
視聴可能チャンネルに系列局情報が存在しない場合、ユーザーチャンネルデータに同じ系列局データが存在しない場合、または、ユーザチャンネルデータのチャンネル番号を決定した場合には、ステップ０８に進み、未処理の受信可能チャンネルがあるかどうかを判断する。ここでの未処理とは、チャンネル番号が割振られていないことではなく、上記ステップ０４から０８までの処理を全視聴可能チャンネルにおいて処理しているかを示す。未処理のチャンネルが存在する場合には、次の受信可能チャンネルに処理を行い（ステップ０９）、全受信可能チャンネルについて処理が実行されるまで繰り返す。
【００２１】
全視聴可能チャンネルについて処理が実行されたら、その中でチャンネル番号が割振られていないチャンネルがあるかどうかを判断する（ステップ１０）。割振られていないチャンネルが存在しない場合には処理を終了（ステップ１５）し、存在する場合には、そのチャンネルに関してチャンネル番号を割振る処理を実行する（ステップ１１から１４）。まず、番号が割振られていないチャンネルの内、デフォルトチャンネル番号が使用されていないチャンネルが存在するかどうかを判断する（ステップ１１）。ここで、デフォルトチャンネル番号とは、図２での（２）の「ＭＨＫ関西」における番号２のように、あらかじめその地域で与えられているチャンネル番号のことである。
【００２２】
もしも、ユーザのチャンネルデータの中で番号２を使用しているものがあり、それが他のチャンネルに割振られている（ステップ０７）場合には、既に使用されていると判断する。デフォルトチャンネル番号を使用されていないチャンネルが存在する場合には、該当するチャンネルにデフォルトチャンネル番号を割り当てる（ステップ１２）。デフォルトチャンネルを使用していないチャンネルが存在しない場合、およびステップ１２の処理の後には、ステップ１３に進み、未使用のチャンネル番号が存在するかどうかを判断する。
【００２３】
未使用のチャンネル番号が存在する場合には、まだチャンネル番号を割当てられていないチャンネルに割当てる（ステップ１４）。割当て手段としては、チャンネル番号とチャンネルは１対１の関係で、未使用のチャンネル番号か、未割当てのチャンネルのいずれかが無くなるまで割当てるのが望ましい。未使用のチャンネル番号が存在しない場合、およびステップ１４の処理の後にはステップ１５に進み処理を終了する。
【００２４】
図２の（２）に示す現在環境データを取得する方法は、ＴＶに流れ込む放送波やインターネットからの情報源やＴＶに予め記録してある全地域の情報テーブル等を用いて現在環境データを得る。
【００２５】
このように、図２の（１）に示すユーザチャンネルデータと（２）に示す現在環境データとを系列局情報に基づいて比較し、設定した結果が図２の（３）に示すユーザ設定反映データとなり、関西での出張先ＴＶは局系列とチャンネル番号との対応関係が関東の受信環境（ユーザチャンネルデータ）と同じになる。ここで、カードに記録した関東でのユーザチャンネルデータと出張先ＴＶの関西の現在環境データとの比較や設定の仕方は、ＴＶ受信装置に内蔵のメモリやＣＰＵやソフトウェアを利用することによってたやすく実現することができる。
【００２６】
以上説明したように、本実施形態では、自分用のＴＶチャンネルデータをカード等の携帯記録媒体に記憶しておき、他のＴＶを使用した場合でも、そのカードを使用することで、自分用のチャンネルデータでＴＶを抵抗感無く使用することができる。また、受信環境が異なり同一環境が存在しない場合には、その系列局を選択する等することでほぼ同様の環境を提供できる。チャンネルデータをカード等に保存して持ち運ぶことによって、従来環境と同じ操作を行うことを可能とする。なお、本実施形態は、関西出張に限らず、関西への移住の場合にも、また、地域名が関東と関西に限らない他の地域の場合にも当然に適用可能である。
【００２７】
次に、図３には、ユーザ設定時の環境（出張先ＴＶにユーザチャンネルデータを反映したもの）と元の環境（ユーザチャンネルデータの環境）とが必ずしも同一でない場合（系列局は同じであるがテレビ局名が異なったり、個別の放送番組が異なっている場合を含む）、相違がある点を視聴者に提示することを示している。図３の（１）では、現在の環境と元の環境が異なる場合に、番組選局時に表示する情報として、元の環境だと何に該当するかを図示することを示している（表示色、記号などで図示も可能）。例示によると、チャンネル番号３の大阪テレビという局名（チャンネル名）は関東では東京テレビに該当することを表示する。ディスプレイに大阪テレビと表示されても、視聴者はどのようなテレビ局かがにわかには判断できないので、聞き慣れた関東での東京テレビに該当するものであることを表示している。
【００２８】
また、図３の（２）では、元の環境と現在の環境で異なる場合には、例えば○新などのようにチェックを付けておく。このチェックによって視聴者が元の環境とどこが相違するかを分かり易くしている。例示によると、チャンネル番号１０のＯＳＫテレビは関東とは異なる受信環境（例えば、系列局に属さないＴＶ局）であり、したがって、番組表データもすべて○新を付して、関東の自宅ＴＶでの視聴と異なることを示している。さらに、自宅ＴＶでのチャンネル名である東京テレビと系列局を同じにする、関西での大阪テレビは、ディスプレイ表示する放送番組として、ニュース６００やバラエティＢや歌番組Ｃが同じであるが、ドラマＡについては関西特有の番組であるので○新を付す。なお、番組表データは放送波にＥＰＧ情報として付加されるものを利用しても良い。
【００２９】
このようにして、受信環境に相違のある場合には、相違がある点を視聴者に提示することで、より便利な放送番組の視聴利用が可能である。
【００３０】
以上の説明において、本発明の実施形態は、地上デジタル放送やアナログ放送のようにチャンネルデータに地域性が存在する場合の放送波を対象とするものであるが、衛星放送においても適用可能である。すなわち、衛星放送は一般的にはチャンネルデータに地域性はなく、デフォルト値として全国一律に同一設定されているが、視聴者の好みによってチャンネル名にデフォルト値と異なるチャンネル番号を指定している場合には、当該指定したチャンネルデータをカード記録しておいて、自分用以外のテレビ受信装置にカードを装着して自分好みのデータを設定することができる。
【図面の簡単な説明】
【００３１】
【図１】本発明の実施形態に係るチャンネル記憶受信システムにおける、受信環境の異なった場合でのチャンネル番号の環境整備を行う概要を示す図である。
【図２】本実施形態に係るチャンネル記憶受信システムにおけるチャンネルデータの設定手法を示す説明図である。
【図３】本実施形態に関するチャンネルデータにおいて、元の環境と現在の環境とで異なる場合の表示方法を示す説明図である。
【図４】本実施形態に関する受信環境の異なる地域におけるＴＶのチャンネル番号割り当てについての処理フローを示す図である。
【符号の説明】
【００３２】
１  自宅ＴＶ（関東）
２  主張先ＴＶ（関西）
３  記憶媒体（例．ＳＤカード）
【図１】
2006060576.tif 000003
【図２】
2006060576.tif 000004
【図３】
2006060576.tif 000005
【図４】
2006060576.tif 000006